(57)【要約】  表皮材（３２）の端縁に設けられた係止用端部材（４２）に係止する係止部（１１）と、クッション材（３０）の溝（３４）内に設置されたワイヤ（３６）に係止されるフック（１８）を有する。フック（１８）には係止部（１１）から下方に延出する延出部（１８ａ）と爪状部（１８ｃ）を備え、係止部（１１）にはガイド片（２６）を備える。ガイド片（２６）は、フックの延出部（１８ａ）に沿って下方に延び、途中の折曲部（２６ｂ）で屈曲し、爪状部の先端部（１８ｅ）に向かって延びている。ガイド片の先端部（２６ｄ）は、爪状部の先端部（１８ｅ）に対向する位置に達し、ワイヤ（３６）が挿通される所定間隔のワイヤ挿通口（２７）を形成している。ガイド片（２６）と爪状部（１８ｃ）の、ワイヤ挿通口（２７）に向かう部分は、各々ガイド面（２２，２３）を形成し、ワイヤ挿通口（２７）に向かって一対のガイド面（２２，２３）の間隔が徐々に狭くなっている。。【選択図】図１
2015063944.tif 000002
【特許請求の範囲】
【請求項１】
表皮材（３２）の端縁に設けられた係止用端部材（４２）に係止する係止部（１１）と、クッション材（３０）の溝（３４）内に設置されたワイヤ（３６）に係止されるフック（１８）が設けられ、前記表皮材（３２）と前記クッション材（３０）を連結する表皮材止着用クリップ（１０，４６）において、  前記フック（１８，４８）は前記係止部（１１）の下方側に設けられ、前記フック（１８,４８）には、前記係止部（１１）から下方に延出する延出部（１８ａ，４８ａ）と、この延出部（１８ａ，４８ａ）の先端から側方に屈曲して前記係止部（１１）に向けて傾斜する爪状部（１８ｃ，４８ｃ）が設けられ、  前記係止部（１１）にガイド片（２６，５０）が設けられ、  前記ガイド片（２６，５０）は、前記係止部（１１）から下方に向かって延出し、途中に折曲部（２６ｂ，５０ｂ）が設けられて前記フック（１８，４８）の前記爪状部（１８ｃ，４８ｃ）の先端部（１８ｅ，４８ｅ）に向かって屈曲して延び、前記ガイド片（２６，５０）の先端部（２６ｄ，５０ｄ）は、前記爪状部（１８ｃ，４８ｃ）の前記先端部（１８ｅ，４８ｅ）に対向する位置に、前記ワイヤ（３６）が挿通される所定間隔のワイヤ挿通口（２７，５２）を開けて達し、  前記ガイド片（２６，５０）と前記爪状部（１８ｃ，４８ｃ）の、前記ワイヤ挿通口（２７，５２）に向かう部分は各々ガイド面（２２，２３）を形成して成ることを特徴とする表皮材止着用クリップ。
【請求項２】
前記ガイド片（２６，５０）と前記爪状部（１８ｃ，４８ｃ）の、各々ガイド面（２２，２３）の間隔は、前記ワイヤ挿通口（２７，５２）に向かって徐々に狭くなる請求項１記載の表皮材止着用クリップ。
【請求項３】
前記ガイド片（２６，５０）の先端部（２６ｄ，５０ｄ）は、前記爪状部（１８ｃ，４８ｃ）の前記先端部（１８ｅ，４８ｅ）よりも上方に位置する請求項１記載の表皮材止着用クリップ。
【請求項４】
前記ガイド片（２６）の前記先端部（２６ｄ）は、前記爪状部（１８ｃ）の前記先端部（１８ｅ）を超えて延出し、前記フック（１８）の前記延出部（１８ａ）側に位置する請求項３記載の表皮材止着用クリップ。
【請求項５】
前記フック（１８）の前記爪状部（１８ｃ）は直線状の傾斜面（１８ｆ）を備え、前記傾斜面（１８ｆ）に沿って前記ガイド片（２６）に向かう延長線より上方に、前記折曲部（２６ｂ）が設けられている請求項１〜４記載の表皮材止着用クリップ。
【請求項６】
前記ガイド片（２６）は、前記係止部（１１）から下方に向かうに従って前記延出部（１８ａ）から離れる方向に延出し、前記折曲部（２６ｂ）が設けられて前記フック（１８）の前記爪状部（１８ｃ，４８ｃ）の先端部（１８ｅ，４８ｅ）に向かって屈曲して延びている請求項５記載の表皮材止着用クリップ。
【請求項７】
前記フック（１８）は、前記延出部（１８ａ）の前記爪状部（１８ｃ）の延出方向と反対方向に向けて延出するフランジ部（１８ｂ）を有し、このフランジ部（１８ｂ）には、その先端が前記係止部（１１）から離間する方向に傾斜して形成され、前記フランジ部（１８ｂ）の先端に前記フック（１８）を前記ワイヤ（３６）から外すための治具を係止する治具受け部（２０）が設けられている請求項１記載の表皮材止着用クリップ。
【請求項８】
前記係止部（１１）、前記フック（１８）、前記治具受け部（２０）、及び前記ガイド片（２６）は、合成樹脂による一体成形により形成されている請求項１記載の表皮材止着用クリップ。 
【発明の詳細な説明】
【技術分野】
【０００１】  この発明は、椅子や座席等の表面を覆う表皮材の止着に用いられる表皮材止着用クリップに関する。
【背景技術】
【０００２】  従来、室内で利用される椅子や車両の座席等では、座面や背当てなど人体に触れる部分にクッション材や柔軟なパッドを設置し、その表面を表皮材で被覆したものが多用されている。このような表皮材の固定には様々な構造が採用されており、表皮材を固定しつつ外観的に隠蔽できる構造として、クッション材の溝内にワイヤを配置し、表皮材の端縁にクリップを配列し、これらのクリップをワイヤに係合させて表皮材を止着する構造が知られている。【０００３】  例えば、特許文献１，２に開示されている表皮材止着用クリップは、表皮材に取り付けられた係止用端部に係着させるチャック部と、クッション材の溝内に設けられたワイヤに掛けられて係止されるフック部とを有している。前記フック部は、互いに横並び状に対向配置されたガイド片とフックとを有し、これらの間にワイヤが差し込まれることで、ガイド片がフックとの間の隙間を広げるように外側に撓み、さらに差し込むと、同隙間内に差し込まれたワイヤにフックが掛けられて係止する構成となっている。【０００４】  このようなガイド片を有する表皮材止着用クリップの一例を図１０に示す。図１０に示す表皮材止着用クリップ１は、表皮材に取り付けられた係止用端部に係着させる一対の係止爪からなる係止部２と、クッション材の溝内に設けられたワイヤ６に掛けられて係止されるフック３と、フック３の横並び状に対向配置されたガイド片４を有している。フック３は、図面下方に延出する延出部３ａと、延出部３ａの先端から図面左方向に屈曲して、わずかに上方に向くように傾斜する爪状部３ｃと、爪状部３ｃの延出方向と反対方向（図１０の右方向）に向けて延出するフランジ部３ｂを有している。フランジ部３ｂは、その先端が下方に向くように傾斜し、フランジ部３ｂの先端にはフック３をワイヤ６から外すための治具を係止する治具受け部５が設けられている。ガイド片４は、湾曲して図面下方に延出しフック３の爪状部３ｃの側方を通過してフランジ部３ｂの下端部とほぼ同じ位置の側方に達している。表皮材止着用クリップ１は、ガイド片４とフック３の間にワイヤ６が挿し込まれることで、ガイド片４がフック３との間の隙間を広げるように外側に撓み、さらに差し込むと、隙間内にさしこまれたワイヤ６にフック３が掛けられて係止されるものである。【０００５】  その他に、ワイヤにフックが掛けられて係止する構成として、特許文献３に示すものがあり、これは、フックの上部に設けられた開口部に、弾性変形可能な片持ち状の閉鎖片が設けられたものである。
【先行技術文献】
【特許文献】
【０００６】
【特許文献１】特開２０１２−２３５９１１号公報
【特許文献２】ＷＯ２０１２／０１７９８６号公報
【特許文献３】ＵＳＰ４６９１４１６号公報
【発明の概要】
【発明が解決しようとする課題】
【０００７】  上記背景技術の図１０に示す表皮材止着用クリップ１は、係止するためにワイヤ６に近づける際に傾いていると、ガイド片４がフック３の下方に延出しているため、図１０に示すように、ワイヤ６がガイド片４の外側に出て、フック３にかからない場合があった。このような場合、フック３の姿勢を直して再度挿入する必要があり、フック３の係止作業が面倒なものであった。さらに、フック３にワイヤ６を入れる範囲が狭く、正確に入れるために周囲のクッション材等を押し広げて変形させ、ワイヤ６が見えるようにする必要があり、強い力で作業を行わなければならず、作業が容易ではなかった。特に、表皮材止着用クリップ１を指で押してワイヤ６に掛けようとすると、図１０に示すようにガイド片４が下方に下がるように傾きやすく、ワイヤ６がガイド片４の外側に位置することが多くなり、ワイヤ６がフック３に係合しにくいものであった。【０００８】  特許文献１，２に開示された表皮材止着用クリップも同様に、ガイド片が長く延出しているため、ワイヤにかけにくいものである。【０００９】  また、特許文献３に開示されたフック部材は、フックの上部に開口部が設けられているため、ワイヤの係止と解除を行うためにフックをワイヤの下方まで押し下げなければならず、力が必要であり使いにくいものである。さらに、開口部は閉鎖片で閉鎖されているため、ワイヤを外す際は閉鎖片を開いた状態で保持しながら操作するため、作業しにくいものである。【００１０】  この発明は、上記背景技術の問題点に鑑みてなされたものであり、簡単な操作でクッション材内等にあるワイヤに係止することができ、作業効率が良好な表皮材止着用クリップを提供することを目的とする。
【課題を解決するための手段】
【００１１】  本発明は、表皮材の端縁に設けられた係止用端部材に係止する係止部と、クッション材の溝内に設置されたワイヤに係止されるフックが設けられ、前記表皮材と前記クッション材を連結する表皮材止着用クリップであって、前記フックは前記係止部の下方側に設けられ、前記フックには、前記係止部から下方に延出する延出部と、この延出部の先端から側方に屈曲して前記係止部に向けて傾斜する爪状部が設けられ、前記係止部にガイド片が設けられ、前記ガイド片は、前記係止部から下方に向かって延出し、途中に折曲部が設けられて前記フックの前記爪状部の先端部に向かって屈曲して延び、前記ガイド片の先端部は、前記爪状部の前記先端部に対向する位置に、前記ワイヤが挿通される所定間隔のワイヤ挿通口を開けて達し、前記ガイド片と前記爪状部の、前記ワイヤ挿通口に向かう部分は各々ガイド面を形成して成る表皮材止着用クリップである。【００１２】  前記ガイド片と前記爪状部の、各々ガイド面の間隔は、前記ワイヤ挿通口に向かって徐々に狭くなるように形成されている。さらに、前記ガイド片の先端部は、前記爪状部の前記先端部よりも上方に位置するものでも良い。また、前記ガイド片の前記先端部は、前記爪状部の前記先端部を超えて延出し、前記フックの前記延出部側に位置しても良い。【００１３】  前記フックの前記爪状部は、直線状の傾斜面を備え、前記傾斜面に沿って前記ガイド片に向かう延長線より上方に、前記折曲部が設けられている。さらに、前記一対のガイド面は、三角形の斜辺状の導入通路が下方に向かって広がって形成されている。【００１４】  前記ガイド片は、前記係止部から下方に向かうに従って前記延出部から離れる方向に延出し、前記折曲部が設けられて前記フックの前記爪状部の先端部に向かって屈曲して延びている。【００１５】  また、前記フックは、前記延出部の前記爪状部の延出方向と反対方向に向けて延出するフランジ部を有し、このフランジ部には、その先端が前記係止部から離間する方向に傾斜して形成され、前記フランジ部の先端に前記フックを前記ワイヤから外すための治具を係止する治具受け部が設けられている。【００１６】  前記係止部、前記フック、前記治具受け部、及び前記ガイド片は、合成樹脂による一体成形により形成されているものである。
【発明の効果】
【００１７】  本発明の表皮材止着用クリップによれば、簡単な操作でクッション材内等にあるワイヤにフックを容易に係止することができ、容易で確実に表皮材をクッション材に取り付けることができる。係止作業の際に、表皮材止着用クリップを指で上から押し込んで表皮材止着用クリップが傾いても、傾いた状態で確実にワイヤをフックに掛けることができ、指で容易に係止することができ作業効率が良好である。また、ワイヤ挿通口に向かって一対のガイド面が三角形の斜辺状に導入通路が形成されているため、正確なワイヤの位置決めが不要であり、広い範囲でワイヤをガイドすることができ、確実にワイヤ挿通口にワイヤが誘導されて係止することができる。【００１８】  さらに、ガイド片の先端部が、爪状部の先端部よりも上方に位置することにより、ワイヤ挿通口までのガイド面を長くすることができ、ワイヤを挿入する際の案内が行われやすい。また、ガイド片の先端部は、爪状部の先端部を超えて延出し、フックの延出部側に位置することにより、ワイヤを爪状部にて係止する位置まで確実に案内することができ、係止状態にて、ワイヤの移動範囲を少なくでき、係止が維持されやすい。
【図面の簡単な説明】
【００１９】
【図１】この発明の一実施形態の表皮材止着用クリップの斜視図である。
【図２】この実施形態の表皮材止着用クリップの使用方法を示す斜視図である。
【図３】この実施形態の表皮材止着用クリップの使用方法を示す正面図である。
【図４】この実施形態の表皮材止着用クリップの使用方法を示す縦断面である。
【図５】この実施形態の表皮材止着用クリップのワイヤへの取付方法を示す正面図である。
【図６】この実施形態の表皮材止着用クリップのワイヤへの取付方法を示す正面図である。
【図７】この実施形態の表皮材止着用クリップのワイヤへのその他の取付方法を示す正面図である。
【図８】この実施形態の表皮材止着用クリップの変形例を示す正面図である。
【図９】図８に示す表皮材止着用クリップのワイヤへの取付方法を示す正面図である。
【図１０】従来の表皮材止着用クリップのワイヤへの取付方法を示す正面図である。
【発明を実施するための形態】
【００２０】  以下、この発明の実施形態について図面に基づいて説明する。なお、この表皮材止着用クリップ１０の説明おいて、図２に示す互いに直交するＸＹＺ方向を基準として、方向を示す。ここでは、Ｘ軸方向を前後方向とし、例えば、後述するクッション材３０の溝３４の深部にあるワイヤ３６の延在方向に一致し、若しくは、表皮材３２の端縁が延びる方向に一致する。さらに、後述する係止用端部材４２の端縁が延びる方向に一致する。係止用端部材４２をクッション材３０の溝３４に挿入して、ワイヤ３６に係止する方向を上下方向とし、上下方向は、Ｘ軸方向と直交するＺ軸方向であり、クッション材３０の深さ方向と一致する。さらに、クッション材３０上に張られた後述する表皮材３２の面に対して垂直な方向に一致する。また、前後方向であるＸ軸方向、及び上下方向であるＺ軸方向と直交する方向を、Ｙ軸方向とし、左右方向と称する。この左右方向に平行な方向を側方ともいう。
【００２１】  図１はこの発明の一実施形態を示すもので、この実施形態の表皮材止着用クリップ１０は、合成樹脂で一体に成形されたものであり、一対の係止爪１２を有し、係止爪１２は互いに対向して形成されるアーム部１２ｄを有し、アーム部１２ｄの基端部（係止爪１２の基端部でもある）は、係止爪基部１４の上面１４ａ（係止爪基部１４の一面とも言う）の両側から、一体に形成され、係止爪１２は上面１４ａから図１において上方に突出し、上方へ行くにつれて互いの左右方向の間隔が広がるように形成されている。この係止爪１２と係止爪基部１４とで係止部１１が形成される。係止爪１２の先端部１２ａはそれぞれ内側、つまり互いに向かい合って近づく方向に向けて屈曲されている。先端部１２ａは、それぞれ係止爪基部１４と対向し、かつ係止用端部材４２に係止する係止面１２ｂを有し、係止面１２ｂは、係止爪基部１４の上面１４ａとほぼ平行に形成されている。この一対の係止爪１２と係止爪基部１４とで囲まれる空間に、係止用端部材４２が収容されて係止される。
【００２２】  一対の係止爪１２のアーム部１２ｄの互いに対向する内側面１２ｃには、ストッパ１６が設けられている。ストッパ１６は、係止爪１２の互いに向き合う方向に交差するＸ軸方向である厚み方向の中間の位置に設けられた突条であり、係止爪１２の係止面１２ｂから始まり、内側面１２ｃに沿って係止爪基部１４の上面１４ａに達し、内側面１２ｃおよび係止爪基部１４の上面１４ａと同様に略Ｕ字形となっている。ストッパ１６の厚み方向の幅は、係止面１２ｂに近い部分が一番狭く、その下に連続する内側面１２ｃと上面１４ａの境界部分が一番広く、上面１４ａの中心部分がその中間の幅に形成されている。
【００２３】  係止爪基部１４の、上面１４ａと反対側の下面１４ｂ（係止爪基部１４の他面とも言う）には、フック１８が設けられている。フック１８は、下面１４ｂの、一対の係止爪１２が向かい合う方向の一方の端部に設けられ、下面１４ｂに対してほぼ直角に下方に延出する延出部１８ａと、延出部１８ａの先端から図３における左方向に屈曲して、係止部１１に向けて傾斜する爪状部１８ｃとを有する。爪状部１８ｃは、係止爪基部１４に向けて上方に向くように傾斜している。爪状部１８ｃの端部は爪状部１８ｃの下面である傾斜面１８ｆに対してほぼ直角な平面１８ｄで切断したような形状であり、平面１８ｄの上端縁部は爪状部１８ｃの先端部１８ｅとなり、爪状部１８ｃよりも係止爪基部１４に向かって張り出すように突出し、先端が細く形成されている。延出部１８ａと爪状部１８ｃ及びその先端部１８ｅとで囲まれたＵ字状の溝部は、後述するワイヤ３６が挿通されるワイヤ保持空間１７となっている。なお、図３に示すＹ−Ｚ平面視にて、傾斜面１８ｆは直線状に限らず、下方に凸状または上方に凹状の曲面状であってもよい。
【００２４】  フック１８の、延出部１８ａの先端には、爪状部１８ｃの延出方向と反対方向（図３の右方向）に向けて延出するフランジ部１８ｂを有する。フランジ部１８ｂは、爪状部１８ｃと反対側の先端部が下方に向くように傾斜して設けられ、先端部には、図示しない治具を受ける治具受け部２０が設けられている。治具受け部２０は、フランジ部１８ｂの先端部から延出部１８ａに対して間隔を開けてほぼ平行に係止爪１２側に延びて、先端部２０ａが係止爪基部１４の上面１４ａより少し高い位置に達して、係止爪基部１４の側方に位置している。治具受け部２０の左右方向の厚みは、フランジ部１８ｂに近い方が薄く、係止爪基部１４に近づくにつれて厚くなり、先端部２０ａには、係止爪１２のアーム部１２ｄの外側面に沿って外側に広がる傾斜した面が形成されている。治具受け部２０の先端部２０ａと係止爪基部１４との間の隙間は、治具が挿入される治具挿入口２１となり、その治具挿入口２１から連続し、延出部１８ａとフランジ部１８ｂと、治具受け部２０とで囲まれて治具が挿通されるＵ字形の溝部１９が形成されている。溝部１９の底部（フック１８の上面）は、治具を係止する治具保持空間２５である。治具受け部２０のフック１８の延出部１８ａに対向する内側面（治具が挿通される溝部１９に対向する面）には、フランジ部１８ｂの近傍に係合突部２４が設けられている。治具保持空間２５は、溝部１９と後述する係合突部２４とで区画され、治具の係止部が係止される。係合突部２４は、延出部１８ａに向かって三角形状に形成された突条であり、下方に向かうに従って延出部１８ａに近づくように突出している。つまり、係合突部２４は、フランジ部１８ｂに近い面は、治具受け部２０の突出方向に対してほぼ直角に位置し、フランジ部１８ｂと反対側の面は治具受け部２０の延出方向に対して鋭角に交差している。これにより、治具が溝部１９に挿入された際に、治具の一部が鈍角に交差する面を乗り越えることで係合突部２４に係合する。
【００２５】  一対の係止爪１２のうち、治具受け部２０が形成される側の係止爪１２と反対側の１個には、その係止爪１２と一体にガイド片２６が設けられている。ガイド片２６は、係止爪１２の突出方向の中間付近に設けられ、係止爪１２から離れるにつれて下方に向かう傾斜方向に延出し、係止爪基部１４の下面１４ｂの側方付近で第１折曲部２６ａが設けられ、第１折曲部２６ａで折り曲げられてフック１８の延出部１８ａに対して平行に垂直方向下方に延出している。そしてフック１８の爪状部１８ｃの延出方向の延長線上に第２折曲部２６ｂが設けられ、第２折曲部２６ｂで折り曲げられて、延出部１８ａと下面１４ｂの境界付近に向かって、第１折曲部２６ａの延長方向に対して９０°より僅かに大きい角度で折り曲げられている。そして折り曲げられたガイド片２６の先端部２６ｄは爪状部１８ｃの先端部１８ｅの延長線上を越えて延出部１８ａに近い位置に達している。ガイド片２６の第２折曲部２６ｂと先端部２６ｄの間には、爪状部１８ｃの先端部１８ｅに対向する位置に第３折曲部２６ｃが設けられ、第３折曲部２６ｃは係止爪基部１４に近づく方へ凸となるように折り曲げられ、先端部２６ｄはわずかに係止爪基部１４から離れる方へ向かって突出している。ガイド片２６の第３折曲部２６ｃとフック１８の爪状部１８ｃ先端部１８ｅの間の隙間は、ワイヤ３６が挿通されるワイヤ挿通口２７となる。
【００２６】  ワイヤ挿通口２７は、ワイヤ３６の直径よりも小さく設定されている。ガイド片２６の、第２折曲部２６ｂと第３折曲部２６ｃの間の下側面は、ワイヤ挿通口２７に向かって傾斜するガイド面２２となる。爪状部１８ｃの先端側の平面１８ｄも、ワイヤ挿通口２７に向かって傾斜するガイド面２３となる。ガイド面２２，２３は、ワイヤ挿通口２７に向かってその間隔は徐々に狭くなり、三角形の斜辺状の導入通路が形成される。また、ガイド片２６の先端部２６ｄはフック部１８の先端部１８ｅを超えて延出部１８ａ側に位置するようにし、ガイド片２６の先端部２６ｄはワイヤ保持空間１７の上方に位置する。これにより、ワイヤ３６を挿入した際に、ワイヤ３６をワイヤ保持空間１７に円滑に案内することができる。また、係止状態にあるワイヤ３６が不容易に移動することを抑制し、安定した係止を維持することができる。さらには、ガイド片２６の先端部２６ｄとフック部１８の延出部１８ａとの間隔を、ワイヤ３６の直径よりも小さく設定することで、より係止状態にあるワイヤ３６の移動を抑制することができるようにもなる。
【００２７】  次に、この実施形態の表皮材止着用クリップ１０の使用方法について図２〜図７に基づいて説明する。表皮材止着用クリップ１０は、図２〜図４に示すように、車両用の座席のクッション材３０の表面の所定位置に表皮材３２を張るために用いられる。ここで、クッション材３０と表皮材３２について説明する。クッション材３０は、座席の形状に成形された発泡ポリウレタン等の合成樹脂フォーム材である。クッション材３０には表皮材止着用の溝３４が形成され、溝３４内には、ワイヤ３６が設置されている。ワイヤ３６は金属製の線材であり、クッション材３０の成形時にインサート成形で組み込むことができる。
【００２８】  表皮材３２は、クッション材３０の表面を覆う合成樹脂シート等であり、クッション材３０の溝３４に対応する部位に縫合部３８を有する。縫合部３８は、一対の表皮材３２端縁を中表となるように合わせ、係止用テープ４０を重ね合わせて縫合したものである。係止用テープ４０の、縫合部３８と反対側の辺縁には、係止用端部材４２が一体に設けられている。係止用端部材４２は、合成樹脂により成形され、断面形状が略Ｖ字状で係止用テープ４０の長手方向に沿って形成されている。係止用端部材４２は、係止用テープ４０の一方の辺縁をインサート成型することで係止用テープ４０に装着される。係止用端部材４２は、表皮材止着用クリップ１０の一対の係止爪１２の内側に嵌合される大きさであり、係止用テープ４０の長手方向に沿って等間隔に係止溝４４が形成されている。係止溝４４は、表皮材止着用クリップ１０のストッパ１６が差し込まれる幅と深さに設定されている。
【００２９】  クッション材３０に表皮材３２を張る際には、まず、表皮材３２に取り付けられた係止用テープ４０の係止用端部材４２の任意の位置に、表皮材止着用クリップ１０を取り付ける。表皮材止着用クリップ１０は、係止用端部材４２の長手方向に沿って複数個が互いに等間隔に取り付けられ、一対の係止爪１２の間に係止用端部材４２を押し込むと、一対の係止爪１２が弾性変形して広がり、係止用端部材４２が通過する。通過すると係止爪１２の弾性変形が復元し、一対の係止爪１２の先端部１２ａが係止用端部材４２の縫合部３８側の端部を覆い、係止用端部材４２が一対の係止爪１２間に嵌合され、抜けることがない。この時、係止用端部材４２の係止溝４４には、係止爪１２のストッパ１６が差し込まれ、表皮材止着用クリップ１０は、係止用端部材４２の長手方向に移動することがなく、所定の位置で止まる。
【００３０】  そして、表皮材止着用クリップ１０を取り付けた表皮材３２の縫合部３８を、目的のクッション材３０の溝３４に一致させ、表皮材止着用クリップ１０のフック１８をワイヤ３６に当てて指等で押す。この時、ワイヤ３６がワイヤ挿通口２７に一致するように、表皮材止着用クリップ１０を左右に動かすと良い。この状態で、表皮材止着用クリップ１０をさらに押し込むと、ワイヤ３６は爪状部１８ｃの傾斜面１８ｆに沿ってガイドされ、ワイヤ挿通口２７側のガイド面２２，２３に導かれる。さらに表皮材止着用クリップ１０を押してクッション材３０の溝３４に差し込むと、ワイヤ挿通口２７に向かうガイド面２２，２３の導入通路にワイヤ３６が位置し、ワイヤ挿通口２７に誘導される。ワイヤ挿通口２７はワイヤ３６の直径よりも小さく、そのままではワイヤ３６が通過できないが、さらにこの状態で表皮材止着用クリップ１０を上方から押し付けると、ガイド片２６が弾性変形してワイヤ挿通口２７がワイヤ３６の直径よりも広がり、ワイヤ挿通口２７を通過してワイヤ保持空間１７に入る。ワイヤ３６が通過した後、ガイド片２６の弾性変形が復元し、ワイヤ挿通口２７が狭い状態に戻り、ワイヤ３６が抜けることを防ぐ。これにより、表皮材止着用クリップ１０がワイヤ３６に係止され、表皮材止着用クリップ１０に取り付けられた表皮材３２は、端縁部が溝３４に潜り込んだ状態で、クッション材３０の表面に取り付けられる。
【００３１】  また図５に示すように、表皮材止着用クリップ１０を指先に保持して取り付ける際に、ワイヤ３６がワイヤ挿通口２７よりも図面上の右にあり、表皮材止着用クリップ１０が傾いていて、ワイヤ３６がフック１８のフランジ部１８ｂに当たるときでも、表皮材止着用クリップ１０を右方向に移動させることにより、ワイヤ３６は、ガイド面２２，２３にガイドされてワイヤ挿通口２７に誘導され、二点鎖線で示すワイヤ３６の位置にくる。この状態で表皮材止着用クリップ１０を上方から押し付けることにより、図６に示すようにガイド片２６が第２折曲部２６ｂから係止爪基部１４に近づくように弾性変形してワイヤ挿通口２７が広がり、ワイヤ３６がワイヤ保持空間１７に入り係止される。
【００３２】  また、図７に示すようにワイヤ３６がワイヤ挿通口２７よりも図面上の左にある時は、ワイヤ３６はガイド片２６の第２折曲部２６ｂ付近に当たり、表皮材止着用クリップ１０を左に移動させることによりワイヤ挿通口２７付近に一致させ、上記と同様の動作でワイヤ３６をワイヤ保持空間１７に入れて係止することができる。
【００３３】  表皮材止着用クリップ１０をワイヤ３６から外すときは、図示しない長い棒状の治具を使用する。治具は、治具受け部２０の溝部１９より長く形成され、治具の先端には係止部が設けられ、係止部は治具受け部２０に設けられた係合突部２４の頂部と延出部１８ａの間隔よりも太く設けられている。治具を、クッション材３０の溝３４の、表皮材止着用クリップ１０の治具受け部２０側に差し込み、係止爪１２と治具受け部２０の間に差し込んで押し付ける。すると、治具の先端の係止部が治具受け部２０の係合突部２４に当接し、さらに押し付けると治具受け部２０が弾性変形して広がり、係止部が通過すると治具受け部２０の形状は復元し、係止部は係合突部２４の下方の治具保持空間２５に入れられて出ることがない。
【００３４】  次に、治具を引き上げると、表皮材止着用クリップ１０にはワイヤ３６を中心に反時計回りに回転するようにモーメントが作用する。ワイヤ３６は、フック１８の爪状部１８ｃ先端部１８ｅと、ガイド片２６の先端部２６ｄにガイドされてワイヤ挿通口２７に位置する。この状態で、さらに表皮材止着用クリップ１０を引き上げると、ワイヤ３６がガイド片２６の第３折曲部２６ｃ付近に当たり、先端部２６ｄがわずかに係止爪基部１４から離れる方向へ向かって突出しているため、ガイド片２６が開く方向に力が作用する。これによりガイド片２６の、第２折曲部２６ｂから先端部２６ｄ側の部分が、係止爪基部１４に近づくように弾性変形しワイヤ挿通口２７が広げられ、やがてワイヤ３６が広げられたワイヤ挿通口２７を通過する。これにより、表皮材止着用クリップ１０はワイヤ３６から外れ、表皮材３２がクッション材３０から外れる。
【００３５】  この実施形態の表皮材止着用クリップ１０によれば、簡単な操作でクッション材３０のワイヤ３６に係止することができ、容易で確実に表皮材３２をクッション材３０に取り付けることができる。特に、表皮材止着用クリップ１０を指で保持して、治具受け部２０側を押してクッション材３０の溝３４に差し込むと、表皮材３２に引っ張られる力に抗して押し下げるために表皮材止着用クリップ１０全体が傾く場合がある。しかし、傾いた状態でもワイヤ挿通口２７が下方を向き、ワイヤ挿通口２７に向かうガイド面２２とガイド面２３の三角形の斜辺状の導入通路が下方に向かって広がって形成されているため、表皮材止着用クリップ１０を、おおよそワイヤ挿通口２７付近でワイヤ３６に押し付けるだけで容易にワイヤ３６に係止することができる。ワイヤ３６がワイヤ挿通口２７からずれていても、図５、図７に示すような広い範囲に押し付けて、表皮材止着用クリップ１０を左右に動かすだけで、ワイヤ３６はガイド面２２，２３に誘導されてワイヤ挿通口２７に一致するため、係止作業が簡単である。さらに、正確に位置決めする必要がないため、クッション材３０の溝３４内で簡単に操作することができ、例えばクッション材３０を押して変形させてワイヤ３６が見えるようにする必要がなく、弱い力で効率よく作業を行うことができ、熟練が不要で、誰にでも簡単に取り付けることができる。また、簡単な操作で治具により表皮材止着用クリップ１０をワイヤ３６から外すことができ、取り外しの際の作業効率も良い。
【００３６】  係止爪１２にはストッパ１６が設けられ、ストッパ１６が係止用端部材４２の係止溝４４に差し込まれることにより、表皮材止着用クリップ１０は所定の位置に係止され、係止用テープ４０の長手方向に移動することがない。このため、表皮材３２がクッション材３０に対してずれることがなく、表皮材３２にしわやたるみが発生せず、きれいに取り付けることができ外観が良好となる。係止用端部材４２には係止溝４４が等間隔に設けられていることで柔軟性が高くなり、作業が容易となる。
【００３７】  また、ガイド片２６は途中に第１折曲部２６ａ、第２折曲部２６ｂ、第３折曲部２６が設けられ、これによりガイド片２６の長さを増すことができ、弾性変形による撓みやすさが得られるようになっている。ガイド片２６は係止爪１２に接続されているため、係止爪基部１４に接続される場合よりも長さを増やすことができる。このため、同じ材質と同じ断面形状であってもガイド片２６の弾性変形が容易であり、ワイヤ３６の通過が容易となる。ガイド片２６の先端部２６ｄは、ワイヤ保持空間１７の底部に対して、第３折曲部２６ｃで折り曲げられて平行に近い角度で突出しているため、表皮材止着用クリップ１０をワイヤ３６から外すときは、先端部２６ｄの延出方向に対して交差する方向に当接し、容易にガイド片２６を弾性変形させて外すことができる。ワイヤ保持空間１７にワイヤ３６が挿通されている時は、先端部２６ｄがワイヤ保持空間１７の底部に対して平行に近い角度で突出して位置しているため、ワイヤ３６が不用意に外れることを防止することができる。
【００３８】  なお、この実施形態の表皮材止着用クリップ１０は、図８に示すように、爪状部１８ｃが異なる形状でガイド片２６が短いものでもよい。図８に示す表皮材止着用クリップ４６は、上面１４ａと反対側の下面１４ｂ（係止爪基部１４の他面とも言う）には、フック４８が設けられている。フック４８は、下面１４ｂに対してほぼ直角に下方に延出する延出部４８ａと、延出部４８ａの先端から左方向に屈曲して、係止爪基部１４に向けて上方に向くように傾斜した爪状部４８ｃとを有する。爪状部４８ｃの端部は爪状部４８ｃの下面である傾斜面４８ｆに対してほぼ垂直な垂直面４８ｄで切断したような形状であり、垂直面４８ｄの上端縁部が先端部４８ｅとなる。先端部４８ｅは、爪状部４８ｃから側方に突出せず、爪状部４８ｃの側面上に位置している。
【００３９】  係止爪１２には、一体にガイド片５０が設けられている。ガイド片５０は、係止爪１２の突出方向の中間付近に設けられ、係止爪１２から離れるにつれて下方に向かう傾斜方向に延出し、係止爪基部１４の下面１４ｂの側方付近で第１折曲部５０ａが設けられ、第１折曲部５０ａで折り曲げられてフック４８の延出部４８ａに対して平行に垂直方向下方に延出している。そしてフック４８の爪状部４８ｃの延出方向の延長線上に第２折曲部５０ｂが設けられ、第２折曲部５０ｂで折り曲げられて、延出部４８ａと下面１４ｂの境界付近に向かって、第１折曲部５０ａの延長方向に対して９０°より僅かに大きい角度に折り曲げられている。そして折り曲げられたガイド片５０の先端部５０ｄは爪状部４８ｃの先端部４８ｅの近傍で所定間隔を開けて離間する位置に達している。ガイド片５０の第２折曲部５０ｂと先端部５０ｄの間には、第３折曲部５０ｃが設けられ、第３折曲部５０ｃは爪状部４８ｃの先端部４８ｅから離れる方向に凸となるようにわずかに折り曲げられている。ガイド片５０の先端部５０ｄと爪状部４８ｃの先端部４８ｅの間の隙間は、ワイヤ３６が挿通されるワイヤ挿通口５２となる。
【００４０】  ワイヤ挿通口５２は、ワイヤ３６の直径よりも小さく設定されている。ガイド片５０の、第３折曲部５０ｃから先端部５０ｄの間の下側面は、挿通口５２に向かって傾斜するガイド面２２となる。爪状部４８ｃの先端側の垂直面４８ｄも、ワイヤ挿通口５２に垂直に向かうガイド面２３となる。ワイヤ挿通口５２に向かってガイド面２２，２３の間隔は徐々に狭くなり、三角形の斜辺状の導入路が形成される。フック４８の、延出部４８ａの先端には、爪状部４８ｃの延出方向と反対方向に向けて突出するフランジ部４８ｂを有し、フランジ部４８ｂの先端部には、治具受け部５４が設けられている。
【００４１】  クッション材３０に表皮材３２を張る時、表皮材３２に取り付けられた係止用テープ４０の係止用端部材４２の任意の位置に、表皮材止着用クリップ４６を取り付ける。そして、表皮材止着用クリップ４６のフック４８をワイヤ３６に当てて指等で押し、ワイヤ３６がワイヤ挿通口５２に一致するように表皮材止着用クリップ４６を左右に動かす。図９に示すようにワイヤ３６がワイヤ挿通口５２よりも図面上の右にある時は、ワイヤ３６はフック４８のフランジ部４８ｂの傾斜面４８ｆに当たり、表皮材止着用クリップ４６を右に移動させることによりワイヤ挿通口５２付近に一致させ、ガイドされてワイヤ挿通口５２に誘導され、二点鎖線で示すワイヤ３６の位置にくる。この状態で表皮材止着用クリップ４６を上方から押し付けると、ガイド片５０が第２折曲部５０ｂから係止爪基部１４に近づくように弾性変形してワイヤ挿通口５２が広がり、ワイヤ３６がワイヤ保持空間１７に入り、係止される。
【００４２】  表皮材止着用クリップ４６をワイヤ３６から外すとき、表皮材止着用クリップ４６の治具受け部５４に治具を取り付け、引き上げる。すると、表皮材止着用クリップ４６にはワイヤ３６を中心に回転するようにモーメントが作用し、ワイヤ３６は、フック４８の爪状部４８ｃ先端部４８ｅと、ガイド片５０の先端部５０ｄにガイドされてワイヤ挿通口５２に位置する。さらに表皮材止着用クリップ４６を引き上げると、ワイヤ３６がガイド片５０とフック４８を外側に弾性変形させてワイヤ挿通口５２が広げられ、ワイヤ３６がワイヤ挿通口５２を通過し、表皮材止着用クリップ４６はワイヤ３６から外れる。
【００４３】  この実施形態の表皮材止着用クリップ４６によれば、表皮材止着用クリップ１０と同様の効果を有するものである。ガイド片５０の第２折曲部５０ｂから先端部５０ｄまでのガイド面２２が短いので、表皮材止着用クリップ４６をワイヤ３６から外す作業がしやすいものである。
【００４４】  なお、この発明の表皮材止着用クリップは、上記実施の形態に限定されるものではなく、細部形状や寸法等、適宜変更することができる。表皮材止着用クリップの材質や表面の仕上げ、色彩等は自由に選択することができる。表皮材止着用クリップは、一対の係止爪の互いに向かい合う方向に交差する厚み方向の幅は、係止爪と係止爪基部を比較的広くし、フックと治具受け部、ガイド片は比較的狭くしたが、これらは同じ幅であってもよく、或いは逆でもよい。ただし、ガイド片や治具受け部は、変形性能を確保するために幅を狭くする方が好適である。係止爪の先端部を面取りした形状に形成したが、矩形状でもよい。ただし、面取りした形状により係止用端部材との引っ掛かりを軽減することができる。
【符号の説明】
【００４５】１０，４６  表皮材止着用クリップ１２  係止爪１４  係止爪基部１６  ストッパ１８，４８  フック１８ａ，４８ａ  延出部１８ｂ，４８ｂ  フランジ部１８ｃ，４８ｃ  爪状部１８ｄ  平面１８ｅ，４８ｅ  先端部２０，５４  治具受け部２２，２３  ガイド面２６，５０  ガイド片２６ａ，５０ａ  第１折曲部２６ｂ，５０ｂ  第２折曲部２６ｃ，５０ｃ  第３折曲部２６ｄ，５０ｄ  先端部２７，５２  ワイヤ挿通口３０  クッション材３２  表皮材３４  溝３６  ワイヤ４２  係止用端部材４４  係止溝 
【図１】
2015063944.tif 000003
【図２】
2015063944.tif 000004
【図３】
2015063944.tif 000005
【図４】
2015063944.tif 000006
【図５】
2015063944.tif 000007
【図６】
2015063944.tif 000008
【図７】
2015063944.tif 000009
【図８】
2015063944.tif 000010
【図９】
2015063944.tif 000011
【図１０】
2015063944.tif 000012
【国際調査報告】
2015063944.tif 000013
2015063944.tif 000014
2015063944.tif 000015
2015063944.tif 000016